(57)【要約】【課題】省資源、低コストの育苗栽培技術、特に移植前に高密度育苗を可能とする栽培技術を提供する。【解決手段】シクロヘキサン系化合物、例えば３，５−ジオキソ−４−プロピオニルシクロヘキセンカルボキシラートのカルシウム塩またはエチル＝４−（シクロプロピル−α−ヒドロキシメチレン）−３，５−ジオキソシクロヘキサンカルボキシラートを育苗時に施用することによって、高密度育苗時に従来問題であった苗質の低下を防止する。【選択図】なし【特許請求の範囲】
【請求項１】
下記式（１）：
【化１】
2005013001.tif 000009
〔式中、Ｒは水素原子またはアルキル基であり、Ａは下記式：
【化２】
2005013001.tif 000010
（式中、Ｒ１およびＲ２はアルキル基またはシクロアルキル基である）
で示される基である〕
に示されるシクロヘキサン系化合物またはその塩を、通常よりも１．２〜３倍高密度に播種した作物の育苗時に施用することを特徴とする、高密度播種苗の育成方法。
【請求項２】
前記シクロヘキサン系化合物が、３，５−ジオキソ−４−プロピオニルシクロヘキセンカルボキシラートのカルシウム塩、エチル＝４−（シクロプロピル−α−ヒドロキシメチレン）−３，５−ジオキソシクロヘキサンカルボキシラートから選ばれる少なくとも１種であることを特徴とする、請求項１に記載の高密度播種苗の育成方法。
【請求項３】
前記施用が、種子への粉衣、吹付けまたは塗沫、種子や地下茎の溶液浸漬、育苗培土への混和または溶液潅注、もしくは茎葉部への散布、注入または塗布のいずれかであることを特徴とする、請求項１または２に記載の高密度播種苗の育成方法。
【請求項４】
前記作物が、イネ、トウモロコシ、ソルガム、ダイズ、アズキ、インゲン、エンドウ、ソラマメ、ラッカセイ、テンサイ、キュウリ、カボチャ、ナス、トマト、ピーマン、トウガラシ、スイカ、メロン、ハクサイ、キャベツ、カリフラワー、ブロッコリー、レタス、アスパラガス、セルリー、ネギ、タマネギ、サツマイモ、タバコ、イチゴ、ワタ、ナタネ、果樹類、花卉類およびシバ類からなる群から選ばれる少なくとも１種であることを特徴とする、請求項１〜３のいずれか一項に記載の高密度播種苗の育成方法。
【発明の詳細な説明】
【０００１】
【発明の属する技術分野】
本発明は、育苗方法に関し、より詳しくは高密度化によって省資源・低コストを図った育苗方法に関する。
【０００２】
【従来の技術】
これまでに作物育苗のための栽培方法が数多く開発されており、農業生産性および省力化に寄与してきた。例えば水稲移植栽培には、育苗箱を用いた箱育苗栽培、ペーパーポットを用いたポット栽培、有機物をマット状に成型しこれに播種育苗するロングマット育苗栽培技術がある。キャベツ、トマト、レタス、テンサイ、イチゴなどの蔬菜類や果菜類なの移植苗の育苗方法には、セル成型ポットを用いたセル苗育苗、ペーパーポット育苗、ビニールポット育苗、マルチポット育苗などがある。
【０００３】
しかし、これらの既存の育苗法では、単位面積または箱当たりの播種量（以下、播種密度という）や子苗本数が一定量を越えると、日照不足、通風不足、芽の込み合い、植物ホルモンの作用などが原因して苗が徒長・軟弱化しやすい。徒長苗は、苗立枯病などの病気が発生しやすく、健苗に成長させることが出来ない。これらの苗質が低下した軟弱・徒長苗を移植すると、移植作業、風雨などによって苗の損傷が発生し、移植後の活着や生育が悪くなる危険性が高い。徒長苗は移植機械にからみやすく作業能率を低下させる原因ともなる。一方、播種密度や子苗本数を制限すると、多くの育苗用資材および栽培面積が必要となる。育苗作業からの苗運搬、移植作業などにも多くの労力を必要とする。
【０００４】
【発明が解決しようとする課題】
本発明は、省資源かつ低コストの育苗栽培技術、特に移植前の高密度育苗の栽培技術を提供することを目的とする。
【０００５】
【課題を解決するための手段】
本発明者らは、上記の問題点を解決すべく鋭意検討した結果、本発明の育苗栽培技術が広範囲な栽培作物に対して省資源化、省力化および低コスト化を可能にすることを見出した。すなわち、本発明は、下記式（１）：
【０００６】
【化３】
2005013001.tif 000002
〔式中、Ｒは水素原子またはアルキル基を示し、Ａは下記式
【化４】
2005013001.tif 000003
（式中、Ｒ１およびＲ２はアルキル基またはシクロアルキル基である）
で示される基である〕
で示されるシクロヘキサン系化合物またはその塩を、通常よりも１．１〜３倍高密度に播種した作物の育苗時に施用することを特徴とする、高密度播種苗の育成方法を提供する。ここで育苗時とは、種子の前処理を含む播種から移植までの期間をいう。
【０００７】
【発明の実施の形態】
以下に本発明の高密度播種苗の育成方法をより詳細に説明する。式（１）のシクロヘキサン系化合物の塩は、次の構造のいずれかをとり得る。
【化５】
2005013001.tif 000004
〔式中、Ｍは有機または無機カチオンを示し、ＲおよびＡは前記と同義である。〕
【０００８】
前記式（１）〜（４）中のアルキル基（Ｒ、Ｒ１、Ｒ２）は、炭素数１〜６個の置換または未置換のアルキル基または、炭素数３〜６のシクロアルキル基であって、具体的にはメチル基、エチル基、プロピル基、ブチル基、シクロプロピル基、シクロブチル基などである。アルキル基の置換基としては、ハロゲン原子、アルコキシ基およびアルキルチオ基が挙げられる。
【０００９】
前記有機または無機カチオンとしては、アルカリ金属、アルカリ土類金属、アルミニウム、銅、ニッケル、マンガン、コバルト、亜鉛、鉄、銀、および下記式：
【化６】
2005013001.tif 000005
〔式中、Ｒ３、Ｒ４、Ｒ５、およびＲ６は、互いに同一または異なり、水素原子、アルキル基、ヒドロキシルアルキル基、アルケニル基、ハロゲンで置換されていてもよいベンジル基、ピリジル基またはアルキル置換ピリジル基であり、Ｒ３とＲ４とはポリメチレン基または中間に酸素原子を含んだポリメチレン基を形成してもよい〕
で示されるアンモニウムイオンを挙げることができる。
【００１０】
式（１）の化合物中、特に３，５−ジオキソ−４−プロピオニルシクロヘキセンカルボキシラートのカルシウム塩（一般名：プロヘキサジオンカルシウム塩）、エチル＝４−（シクロプロピル−α−ヒドロキシメチレン）−３，５−ジオキソシクロヘキサンカルボキシラート（一般名：トリネキサパックエチル）が好ましい。プロヘキサジオンカルシウム塩やトリネキサパックエチルが植物生長調節作用を有することは、例えばＵＳ４，６７８，４９６号公報及び特開昭５９−２３１０４５号公報に記載されている。しかし、これらの化合物が、広範囲な作物の高度な密植育苗栽培方法に適するという事実は意外である。
【００１１】
上記シクロヘキサン系化合物の製造方法は公知であり、例えば特開昭５９−１９６８４６号公報および特開昭５９−２３１０４５号公報に記載されたものを制限なく使用できる。
【００１２】
本前記シクロヘキサン系化合物は、有効成分それ自体で用いてもよく、あるいは粉剤、水和剤、顆粒水和剤、フロアブル剤、乳剤、液剤、微粒剤、粒剤などへ製剤化してから使用してもよい。
【００１３】
上記の製剤化は、担体、界面活性剤、分散剤、補助剤などを配合することによって達成する。
【００１４】
前記担体として、例えばタルク、ベントナイト、クレー、カオリン、珪藻土、ホワイトカーボン、バーミキュライト、炭酸カルシウム、消石灰、珪砂、硫安、尿素などの固体担体；ならびにイソプロピルアルコール、キシレン、シクロヘキサン、メチルナフタレン、水などの液体担体が挙げられる。
【００１５】
界面活性剤または分散剤としては、例えばアルキルベンゼンスルホン酸金属塩、アルキルナフタレンスルホン酸ホルマリン縮合物金属塩、アルコール硫酸エステル塩、アルキルアリールスルホン酸塩、リグニンスルホン酸塩、ポリオキシエチレングリコールエーテル、ポリオキシエチレンアルキルアリールエーテル、ポリオキシエチレンソルビタンモノアルキレートなどが挙げられる。
【００１６】
補助剤としては、例えばカルボキシメチルセルロース、ポリエチレングリコールおよびアラビアゴムが挙げられる。
【００１７】
本発明におけるシクロヘキサン系化合物の処理薬量は、作物の種類や状態、処理時期、処理方法、製剤型などによって異なり、必要に応じて広い範囲で変更できる。具体的には、浸漬処理や潅注処理の場合は有効成分量で、通常０．１〜１０００ｐｐｍ、好ましくは３〜３００ｐｐｍであり、茎葉散布や茎葉塗布の場合は通常１〜１００００ｐｐｍ、好ましくは５〜５００ｐｐｍである。
【００１８】
本発明の育成方法では、前記シクロヘキサン系化合物を通常の播種密度よりも１．２〜３倍、好ましくは１．２〜２倍、さらに好ましくは１．５〜２倍高密度に播種した作物の育苗時に施用する。具体的な播種密度は、作物の種類や品種によって異なる。一般に、水稲の場合は、通常、乾籾換算で５０〜２００ｇ／育苗箱（３０ｃｍ×６０ｃｍ）、好ましくは１００〜１４０ｇ／箱であり、蔬菜類や果菜類は、通常、３０〜１５０本／箱、好ましくは５０〜１３０本／箱である。
【００１９】
本発明の高密度播種によって、これら単位面積あたりの育苗本数をおよそ１．５倍以上増加することができる。その結果、既存の育苗方法に比べて、育苗箱数、育苗用培養土量などの育苗資材、育苗施設の必要面積および育苗用機器数を著しく低減可能にする。資材の準備、播種作業、育苗管理作業などの育苗に要する労力も軽減され、さらに完成した苗の運搬作業や移植作業（移植機への取り付け回数や資材の回収）などの点でも極めて省力である。したがって、播種密度が低すぎると、上記の効果が小さく、逆に播種密度が高すぎても苗の徒長、軟弱化を抑制しきれず苗質の低下を招く。
【００１９】
式（１）のシクロヘキサン系化合物の作物への施用は、種子への粉衣、吹付けまたは塗沫、種子や地下茎の溶液浸漬、育苗培土への混和または溶液潅注、茎葉部への散布、注入または塗布などが可能である。施用方法に応じて適当な剤型を選択する。例えば、種子への粉衣には粉剤や水和剤を固体のまま用い、種子の溶液浸漬には水和剤、顆粒水和剤、乳剤などを水溶液にしてから用いる。散布には粉剤が適し、培土混和には微粒剤や粒剤が適する。
【００２１】
上記施用時には、式（１）の化合物に加えて、適宜、殺虫剤、殺菌剤、他の除草剤、植物生長調節剤、肥料などを本発明の効果を阻害しない範囲で混用してもよい。特に植物成長調節剤の例には、イソプロチオラン、ダミノジット、メフルイジド、ベンジルアミノプリン、イナベンフィド、ウニコナゾール−Ｐ、パクロブトラゾール、メピコートクロリドなどがある。
【００２２】
本発明の方法に用いられる育苗培土は、特に制限されないが、自然土壌、ならびに人工培土、例えばバーク堆肥、泥炭、木炭、腐植酸質資材、ＶＡ菌根菌資材などの天然有機物；ポリビニルアルコール系資材、ポリエチレンイミン系資材などの高分子；珪藻土焼成粒、ゼオライト、バーミキュライト、パーライト、ベントナイト、ロックウールなどの無機質を用いることができる。
【００２３】
本発明の高密度播種苗の育成方法は、きわめて広範囲の作物に有効である。代表例として、イネ、トウモロコシ、ソルガム、ダイズ、アズキ、インゲン、エンドウ、ソラマメ、ラッカセイ、テンサイ、キュウリ、カボチャ、ナス、トマト、ピーマン、トウガラシ、スイカ、メロン、ハクサイ、キャベツ、カリフラワー、ブロッコリー、レタス、アスパラガス、セルリー、ネギ、タマネギ、サツマイモ、タバコ、イチゴ、ワタ、ナタネ、果樹類、花卉類およびシバ類が挙げられる。
【００２４】
本発明の高密度播種苗の育成方法によって育苗を終えた苗は、育苗箱やポットから田畑に移植される。
【００２５】
【実施例】
次に、本発明の育成方法の実施例を挙げて具体的に説明する。ただし、本発明は、下記の実施例に限定されるものではない。以下の説明において、「部」は重量部を意味する。
【００２６】
〈参考例１〉水和剤の調製
プロヘキサジオンカルシウム塩２部、ポリオキシエチレンオクチルフェニルエーテル０．５部、β−ナフタレンスルホン酸ホルマリン縮合物ナトリウム塩０．５部、珪藻土２０部およびクレー７７部を混合粉砕し、水和剤を得た。
【００２７】
〈実施例１〉水稲種子浸漬処理による高密度播種苗の育成
水稲種子（品種：コシヒカリ）の種子を種子消毒し、２０℃の水に４日間浸種した。次いで、参考例１の水和剤を用いて表１に示す処理濃度のプロヘキサジオンカルシウム塩を含む２０℃の水溶液を調製し、前記種子を２４時間浸漬した。その後、３０℃の水中で催芽させて、ハト胸状態まで発芽させた。水田土壌を充填した３０ｃｍ×６０ｃｍの育苗箱に、前記種子を表１に示す量だけ播種し、潅水、覆土した。育苗箱を３０℃の育苗機内に移して出芽させた。１５〜２５℃の温室内で３葉抽出期まで育成し、葉齢、草丈、第１葉長、第２葉長、地上部乾物重の各苗質について調査した。結果を表１に示す。
【００３０】
【表１】
2005013001.tif 000006
充実度＝乾物重／草丈
【００３１】
対照１のようにプロヘキサジオンカルシウム塩無処理の条件下で高密度播種を行なうと、草丈１４．３ｃｍ、充実度０．７８と徒長・軟弱化が見られる。そのため、対照２のように、播種密度を制限しなくてはならない。一方、本発明に従う実施例では、プロヘキサジオンカルシウム塩処理を行なうことによって、対照２よりも約２倍高密度に播種しても、徒長・軟弱化は見られなかった。実施例における１０ａあたりの必要箱数は１０．５箱となり、対照２の１７．２箱に比べて約４割低減できた。
この育苗を本田に移植したところ、倒伏、病害などの弊害なく、順調に生育した。
【００３２】
〈実施例２〉水稲発芽後茎葉兼土壌処理による高密度播種苗の育成
水稲種子（品種：コシヒカリ）の種子を種子消毒し、２０℃の水に５日間浸種した後、３０℃の水中で催芽させて、ハト胸状態まで発芽させた。水田土壌を充填した３０ｃｍ×６０ｃｍの育苗箱に、前記種子を表２に示す量だけ播種し、潅水、覆土後、３０℃の育苗機内で出芽させた。その後は、１５〜２５℃の温室内に静置した。芽長が１ｃｍ程度になった時点で、参考例１の水和剤を用いて表２の処理濃度に調製したプロヘキサジオンカルシウム塩水溶液を、箱当たり５０ｍｌ茎葉兼土壌散布した。１５〜２５℃の温室内で３葉抽出期まで育成し、葉齢、草丈、第１葉長、第２葉長、地上部乾物重の各苗質について調査した。その結果を表２に示す。
【００３３】
【表２】
2005013001.tif 000007
【００３４】
対照３のようにプロヘキサジオンカルシウム塩無処理の条件下で高密度播種を行なうと、草丈１３．７ｃｍ、充実度０．８０と徒長・軟弱化が見られた。そのため、対照４のように播種密度を制限しなくてはならなかった。一方、本発明に従う実施例では、プロヘキサジオンカルシウム塩処理を行なうことによって、対照４よりも約２倍高密度に播種しても、対照３のような徒長・軟弱化は見られなかった。実施例における１０ａあたりの必要箱数は１０．２箱となり、対照４の１６．８箱に比べて約４割低減できた。
この育苗を本田に移植したところ、順調に生育した。
【００３５】
〈実施例３〉床土潅注処理による水稲の高密度播種苗の育成
水稲種子（品種：コシヒカリ）の種子を種子消毒し、２０℃の水に５日間浸種した後、３０℃の水中で催芽させて、ハト胸状態まで発芽させた。床土として水田土壌を充填した３０ｃｍ×６０ｃｍの育苗箱に、前記種子を表３に示す量播種した。参考例１の水和剤を用いて表３の処理濃度に調製したプロヘキサジオンカルシウム塩水溶液を、箱当たり４００ｍｌ潅注し、覆土し、３０℃の育苗機内で出芽させた。その後は、１５〜２５℃の温室内に静置した。３葉抽出期まで育成し、葉齢、草丈、第１葉長、第２葉長、地上部乾物重の各苗質について調査した。その結果を表３に示す。
【００３６】
【表３】
2005013001.tif 000008
【００３７】
対照５のようにプロヘキサジオンカルシウム塩無処理の条件下で高密度播種を行なうと、草丈１３．８ｃｍ、充実度０．８０と徒長・軟弱化が見られた。そのため、対照６のように播種密度を制限しなくてはならなかった。一方、本発明に従う実施例では、プロヘキサジオンカルシウム塩処理を行なうことによって、対照６よりも約２倍高密度に播種しても、対照５のような徒長・軟弱化は見られなかった。実施例における１０ａあたりの必要箱数は１０．８箱となり、対照６の１７箱に比べて約４割低減できた。
この育苗を本田に移植したところ、順調に生育した。
【００３８】
【発明の効果】
本発明の育成方法によれば、苗の徒長・軟弱化、耐病性の低下、苗質の低下のためにこれまで不可能であった高密度播種苗の育成を可能とする。単位面積あたりの育苗本数を２倍以上に密植できるため、既存の育苗法に比べ育苗資材、育苗施設の必要面積、育苗用機器数などが著しく低減可能である。育苗作業から苗運搬、移植作業などにおいても、多くの労力を軽減でき、作物の収量や品質も高まるという効果も有する。しかも、シクロヘキサン系化合物の処理作業も極めて簡便であり、既存の栽培法の中での付加ができ、特殊な装置を必要としない。また、既存の育苗資材や施設をそのまま使用できる。